(57)【要約】      （修正有）【課題】  本発明は蓄熱暖房装置に関し、設置し易い立方体的な外形形状を有して、しかも蓄熱レンガ積み上げ体に蓄えられている熱を効率良く奪って取り出せるようにする蓄熱装置を提供する。【解決手段】  蓄熱レンガ積み重ね体１１０は、蓄熱レンガ積み重ね体ユニット列１１２がＸ１−Ｘ２方向に４列密接して横に並んでいる構成であり、立方体に近い形状を有している。逆Ｕ字形状の通風路１１３−１−１、１１３−２−１、１１３−３−１、１１３−４−１が並んでいる。蓄熱レンガ積み重ね体の下方に、Ｘ１側から順に、吹き出し空間１２３、仕切られた仕切り空間１２４、１２５、１２６、吹き出し空間１２７が形成されている。仕切り空間１２５内に送り込まれた空気は、一方では、逆Ｕ字形状の通風路を通って連続波形となる経路を流れて、蓄熱レンガ積み重ね体ユニットに蓄えられている熱を効率良く奪って取り出す。【選択図】  図８
2006138536.tif 000002
【特許請求の範囲】
【請求項１】
断熱構造であるハウジングの内部に、蓄熱レンガが並べて複数個積み上げられてなり且つ内部に通風路が形成されている蓄熱レンガ積み上げ体を有し、該蓄熱レンガ積み上げ体が熱を蓄えている状態で、外部の空気が該蓄熱レンガ積み上げ体の内部の上記通風路内に送り込まれ、該空気が該通風路を通っている間に加熱され、加熱された暖気が外部に吹き出すようにした蓄熱暖房装置において、
上記蓄熱レンガ積み上げ体を、
蓄熱レンガが複数個積み上げられた構成であって内部に逆Ｕ字形状の通風路が形成された蓄熱レンガ積み上げ体ユニットを、複数、縦方向と共に横方向に並べて、横方向上は、一の蓄熱レンガ積み上げ体ユニット内の逆Ｕ字形状の通風路の一端と、この隣の蓄熱レンガ積み上げ体ユニット内の逆Ｕ字形状の通風路の一端とが隣り同士となるように並んだ構成とし、
空気が横方向に送られて、一つの蓄熱レンガ積み上げ体ユニット内の逆Ｕ字形状の通風路を通り、続いて、隣の蓄熱レンガ積み上げ体ユニット内の逆Ｕ字形状の通風路を通り、複数の逆Ｕ字形状の通風路を波形に通ってから外部に吹き出すようにしたことを特徴とする蓄熱暖房装置。
【請求項２】
請求項１に記載の蓄熱暖房装置において、
上記蓄熱レンガ積み上げ体の下側に、横方向上、一つの蓄熱レンガ積み上げ体ユニット内の逆Ｕ字形状の通風路の一端の開口と隣の蓄熱レンガ積み上げ体ユニット内の逆Ｕ字形状の通風路の一端の開口とを含む領域を仕切る仕切り空間を有し、
空気が、一つの蓄熱レンガ積み上げ体ユニット内の逆Ｕ字形状の通風路を通り抜け、上記仕切り空間を経て、続いて、隣の蓄熱レンガ積み上げ体ユニット内の逆Ｕ字形状の通風路に入るようにしたことを特徴とする蓄熱暖房装置。
【請求項３】
請求項２に記載の蓄熱暖房装置において、
上記蓄熱レンガ積み上げ体は、横方向上、上記蓄熱レンガ積み上げ体ユニットが４つ以上並んだ構成とし、
上記仕切り空間は、横方向上、複数有し、
空気が、横方向上、中央部の仕切り空間に送り込まれ、左右に分かれて、夫々複数の逆Ｕ字形状の通風路を波形に通って、別々の吹き出し口から外部に吹き出すようにしたことを特徴とする蓄熱暖房装置。
【発明の詳細な説明】
【技術分野】
【０００１】
本発明は蓄熱暖房装置に係り、特に、断熱構造のハウジングの内部に、複数の蓄熱レンガが電気ヒータを挟みつつ積み上げられている構成であり、安価な深夜電力を利用して電気ヒータを発熱させて蓄熱レンガに蓄熱し、蓄熱レンガに蓄熱された熱を利用して昼間の暖房を行う蓄熱暖房装置に関する。
【背景技術】
【０００２】
図１は従来の蓄熱暖房装置１０を断面して示す。Ｘ１−Ｘ２は横（幅、厚さ）方向、Ｙ１−Ｙ２は縦（長さ）方向、Ｚ１−Ｚ２は高さ方向である。
【０００３】
この蓄熱暖房装置１０は、断熱構造の箱形状のハウジング１１の内部に、図２に示す蓄熱レンガ２０及び図３に示す頂部蓄熱レンガ３０が電気ヒータ４０と共に複数積み上げられ且つ並べられて収まっており、ハウジング１１の下側に送風ファン５１が備えられた送風室５０を有し、ハウジング１１の下側の背面側に冷気吸入口５２を有し、ハウジング１１の下側の前面側に暖気吹き出し口５３を有する構成である。図６に示す蓄熱レンガ２０及び図７に示す頂部蓄熱レンガ３０が電気ヒータ４０と共に複数積み上げられ且つ並べられたものを、蓄熱レンガ積み重ね体ユニット６１という。
【０００４】
従来の蓄熱暖房装置１０は幅が狭い直方体の形状であり、細長いハウジング１１の内部の蓄熱レンガ積み重ね体６０は、蓄熱レンガ積み重ね体ユニット６１がＹ１−Ｙ２方向である縦方向に複数並んで、一つの列をなしている構成である。
【０００５】
各蓄熱レンガ積み重ね体ユニット６１の内部には、蓄熱レンガ２０の貫通長孔２２が連なった縦の通路６２、貫通長孔２３が連なった縦の通路６３が形成され、通路６２の上端開口と通路６３の上端開口との間が凹部３２によって形成される通路６４でもって連通され、逆Ｕ字形状の通風路６５が形成されている。この逆Ｕ字形状の通風路６５の下端の一つの開口６６は送風室５０に開口している。
【０００６】
安価な深夜電力を利用して電気ヒータ４０を発熱させて各蓄熱レンガ２０，３０を約７５０℃に加熱させて蓄熱させておく。蓄熱レンガ２０，３０は酸化マグネシウム製であり保温力が高い。朝に暖房操作を行うと、送風ファン５１が駆動され、外部の空気が冷気吸入口５２から入って、開口６６より逆Ｕ字形状の通風路６５内に送り込まれ、逆Ｕ字形状の通風路６５を通って開口６７より出てくる。空気は逆Ｕ字形状の通風路６５を通っている間に蓄熱レンガ２０，３０によって加熱され、開口６７からは暖気が出て、この暖気が暖気吹き出し口５３から蓄熱暖房装置１０の前方に吹き出す。上記の空気を逆Ｕ字形状の通風路６５を通して暖気として前方に吹き出す動作は、個々の蓄熱レンガ積み重ね体ユニット６１で行われる。ここで、蓄熱暖房装置１０は夜間に蓄熱レンガ積み重ね体６０に蓄えられていた熱が、昼間の暖房動作の間に取り出されるように設計されている。
【特許文献１】特開２００２−２５７４１９号公報
【発明の開示】
【発明が解決しようとする課題】
【０００７】
通常の部屋よりも数倍広い空間を暖房するために、市場において、従来よりも数倍高い暖房能力を有する蓄熱暖房装置の実現が求められている。
【０００８】
蓄熱暖房装置の暖房の能力は、蓄熱暖房装置の蓄熱量、即ち、積み上げて並べた蓄熱レンガ２０の数によって決定される。
【０００９】
暖房の能力を上げる場合には、Ｙ１−Ｙ２方向に並べた蓄熱レンガ積み重ね体ユニット６１の数を増やすことになる。しかし、Ｙ１−Ｙ２方向に並べる蓄熱レンガ積み重ね体ユニット６１の数を増やすと、蓄熱暖房装置は長さが異常に長くなってしまい、デザイン的にもおかしなものとなり、建物内に設置することが難しいものとなってしまう。
【００１０】
そこで、本発明者は、図４に示すように、蓄熱レンガ積み重ね体ユニット６１ＡをＹ１−Ｙ２方向には増やさないで、Ｘ２方向に増やして並べて二列にした構成の蓄熱暖房装置１０Ａを考えた。蓄熱レンガ積み重ね体６０Ａは、第１列の蓄熱レンガ積み重ね体ユニット６１Ａ−１と第２列の蓄熱レンガ積み重ね体ユニット６１Ａ−２とを有する。通風路６５Ａは図１と同様に逆Ｕ字形状であり、第１列及び第２列の蓄熱レンガ積み重ね体ユニット６１Ａ−１、６１Ａ−２に跨って形成してある。
【００１１】
第１列及び第２列の蓄熱レンガ積み重ね体ユニット６１Ａ−１、６１Ａ−２が夜間電力によって高温に加熱された状態で、送風ファン５１Ａが駆動されると、外部の空気は、通風路６５Ａに沿って、最初に、第１列の蓄熱レンガ積み重ね体ユニット６１Ａ−１内を上昇し、第２列の蓄熱レンガ積み重ね体ユニット６１Ａ−２に移り、第２列の蓄熱レンガ積み重ね体ユニット６１Ａ−２内を下降して流れる。空気は、通風路６５Ａを通っている間に加熱され、Ｔ１℃の暖気が暖気吹き出し口５３Ａから蓄熱暖房装置１０Ａの前方に吹き出す。
【００１２】
この蓄熱暖房装置１０Ａは、図１に示す蓄熱暖房装置１０に比較して、暖房の能力が高く、且つ、形状も立方体に近い形状となって設置がし易いものとなる。
【００１３】
しかし、通風路６５Ａの形状が逆Ｕ字形状であることによって、並んでいる第１列及び第２列の蓄熱レンガ積み重ね体ユニット６１Ａ−１、６１Ａ−２のうちハッチングを付して示す中央の部分７０の熱が取り出しにくく、昼間の暖房動作の間に十分には取り出されないで残ってしまう。このことは蓄熱暖房装置１０Ａの暖房の能力が十分に発揮されないで抑えられてしまうことを意味する。
【００１４】
暖房を開始してからの蓄熱暖房装置１０Ａの蓄熱レンガ積み重ね体内に残っている熱量（残熱量）は、図９中、線ＩＩで示すように変化して減っていく。ハッチングで示す部分Ａが消費されないで残ってしまった熱のエネルギー量である。
【００１５】
そこで、本発明は、上記課題を解決した蓄熱暖房装置を提供することを目的とする。
【課題を解決するための手段】
【００１６】
そこで、上記課題を解決するため、本発明は、断熱構造であるハウジングの内部に、蓄熱レンガが並べて複数個積み上げられてなり且つ内部に通風路が形成されている蓄熱レンガ積み上げ体を有し、該蓄熱レンガ積み上げ体が熱を蓄えている状態で、外部の空気が該蓄熱レンガ積み上げ体の内部の上記通風路内に送り込まれ、該空気が該通風路を通っている間に加熱され、加熱された暖気が外部に吹き出すようにした蓄熱暖房装置において、
上記蓄熱レンガ積み上げ体を、
蓄熱レンガが複数個積み上げられた構成であって内部に逆Ｕ字形状の通風路が形成された蓄熱レンガ積み上げ体ユニットを、複数、縦方向と共に横方向に並べて、横方向上は、一の蓄熱レンガ積み上げ体ユニット内の逆Ｕ字形状の通風路の一端と、この隣の蓄熱レンガ積み上げ体ユニット内の逆Ｕ字形状の通風路の一端とが隣り同士となるように並んだ構成とし、
空気が横方向に送られて、一つの蓄熱レンガ積み上げ体ユニット内の逆Ｕ字形状の通風路を通り、続いて、隣の蓄熱レンガ積み上げ体ユニット内の逆Ｕ字形状の通風路を通り、複数の逆Ｕ字形状の通風路を波形に通ってから外部に吹き出すようにしたことを特徴とする。
【発明の効果】
【００１７】
本発明によれば、空気が、各蓄熱レンガ積み上げ体ユニット内の逆Ｕ字形状の通風路を連続して通るため、空気が図２に示すように二つの蓄熱レンガ積み上げ体ユニットに跨って形成してある逆Ｕ字形状の通風路を通る構成に比較して、各蓄熱レンガ積み上げ体ユニットの熱を効率良く取り出すことが出来る。
【００１８】
また、蓄熱暖房装置の外形形状が立方体に近い形状となり、従来は設置することが出来なかった場所、例えば建物の床下に設置することが出来る。
【００１９】
よって、外形形状が立方体に近い形状であり、且つ、従来の蓄熱暖房装置の暖房能力より数倍高い暖房能力を有し、しかも、蓄えられている熱を効率良く取り出すことが可能である蓄熱暖房装置を実現することが出来る。
【発明を実施するための最良の形態】
【００２０】
次に本発明の実施の形態について説明する。
【実施例１】
【００２１】
［蓄熱暖房装置１００の構成］
図３は本発明の実施例１になる蓄熱暖房装置１００をハウジングの一部を除去した状態で示す。図４は図３中垂直面ＳＩＶで切断した断面であり、図５は図３中垂直面ＳＶで切断した断面である。Ｘ１−Ｘ２は横方向、Ｙ１−Ｙ２は縦方向、Ｚ１−Ｚ２は高さ方向である。
【００２２】
蓄熱暖房装置１００は、図１０に示すように建物の床下に設置可能であるように立方体に近い直方体の外形寸法形状を有する。即ち、蓄熱暖房装置１００は、断熱構造であるハウジング１０１が平たい直方体の箱形状を有しており、このハウジング１０１の内部に、蓄熱レンガ２０及び頂部蓄熱レンガ３０が電気ヒータ１４０と共に複数積み上げられ且つ並べられた蓄熱レンガ積み重ね体１１０が、穴あきの支持板１２０上に支持されて収まっており、ハウジング１０１のＹ２側に制御室１３０を有し、ハウジング１０１の下部のＸ１側とＸ２側とに暖気吹き出し口１３１，１３２を有し、仕切り壁１３９で仕切られた制御室１３０内にファンモータ１３３が備えてあり、制御室１３０から遠隔操作ユニット１３４が引き出されており、制御室１３０の外壁に空気吸入口１３５が形成してある構成である。
【００２３】
図６は蓄熱レンガ２０を示す。Ｘ１−Ｘ２は横方向、Ｙ１−Ｙ２は縦方向、Ｚ１−Ｚ２は厚さ方向である。蓄熱レンガ２０は、略矩形の板状であり、Ｙ１−Ｙ２方向の中心線２１に関して左右対称である形状であり、横方向上両側の近くに、縦方向に長くて厚さ方向に貫通する貫通長孔２２，２３を有し、且つ、上面２４には、貫通長孔２２，２３よりも中心線２１側に電気ヒータ用の溝部２５，２６が形成してある。
【００２４】
図７は頂部蓄熱レンガ３０を反転した姿勢で示す。頂部蓄熱レンガ３０はその下面３１に、浅い凹部３２を有する。
【００２５】
蓄熱レンガ積み重ね体１１０は、二つの蓄熱レンガ２０と一つの頂部蓄熱レンガ３０とよりなる蓄熱レンガ積み重ね体ユニット１１１が一つの単位であって、この蓄熱レンガ積み重ね体ユニット１１１が複数、縦方向と共に横方向に並んだ集合である。蓄熱レンガ積み重ね体ユニット１１１は、複数の蓄熱レンガ２０が電気ヒータ４０を溝部２５，２６に収めつつ積み重ねてあり、頂上部に頂部蓄熱レンガ３０が重ねてある構成である。蓄熱レンガ積み重ね体１１０は、具体的には、蓄熱レンガ積み重ね体ユニット１１１が３つＹ１−Ｙ２方向に密接して一列に並んで蓄熱レンガ積み重ね体ユニット列１１２が形成してあり、更に、蓄熱レンガ積み重ね体ユニット列１１２がＸ１−Ｘ２方向に４列密接して横に並んでいる構成であり、立方体に近い形状を有している。即ち、蓄熱レンガ積み重ね体１１０は、蓄熱レンガ積み重ね体ユニット１１１がＹ１−Ｙ２の縦方向と共にＸ１−Ｘ２の横方向にも並んだ構成である。蓄熱レンガ積み重ね体１１０の蓄熱量は、図１に示す従来の蓄熱暖房装置１０の蓄熱レンガ積み重ね体６０の蓄熱量の約２倍である。なお、蓄熱レンガ２０及び頂部蓄熱レンガ３０はそのＹ１−Ｙ２方向を蓄熱暖房装置１００のＹ１−Ｙ２方向と一致させた向きで積み重ねてある。符号１１２−１〜１１２−４は各蓄熱レンガ積み重ね体ユニット列を示す。符号１１１−１−１〜１１１−１−３は蓄熱レンガ積み重ね体ユニット列１１２−１を構成する蓄熱レンガ積み重ね体ユニットを示し、符号１１１−２−１〜１１１−２−３は蓄熱レンガ積み重ね体ユニット列１１２−２を構成する蓄熱レンガ積み重ね体ユニットを示し、符号１１１−３−１〜１１１−３−３は蓄熱レンガ積み重ね体ユニット列１１２−３を構成する蓄熱レンガ積み重ね体ユニットを示し、符号１１１−４−１〜１１１−４−３は蓄熱レンガ積み重ね体ユニット列１１２−４を構成する蓄熱レンガ積み重ね体ユニットを示す。各蓄熱レンガ積み重ね体ユニット１１１−１−１〜１１１−４−３には、図１に示すと同様に、逆Ｕ字形状の通風路１１３が形成してある。
【００２６】
蓄熱レンガ積み重ね体１１０をＹ１−Ｙ２方向についてみると、図５に示す如くである。図５は蓄熱レンガ積み重ね体ユニット列１１２−３の断面であり、Ｙ２側からＹ１方向に、蓄熱レンガ積み重ね体ユニット１１１−３−１、１１１−３−２、１１１−３−３が並んでおり、電気ヒータ１４０が蓄熱レンガ積み重ね体ユニット１１１−３−１から１１１−３−３まで内部を延在している。
【００２７】
蓄熱レンガ積み重ね体１１０をＸ１−Ｘ２方向についてみる。蓄熱レンガ積み重ね体ユニット１１１−１−１の個所では、図４に示すように、蓄熱レンガ積み重ね体ユニット１１１−１−１、１１１−２−１、１１１−３−１、１１１−４−１が、一の蓄熱レンガ積み上げ体ユニット内の逆Ｕ字形状の通風路の一端とこの隣の蓄熱レンガ積み上げ体ユニット内の逆Ｕ字形状の通風路の一端とが隣り同士となるように並ぶようにして密接して並んでおり、逆Ｕ字形状の通風路１１３−１−１、１１３−２−１、１１３−３−１、１１３−４−１が並んでいる。各逆Ｕ字形状の通風路１１３−１−１〜１１３−４−１は、その下端に開口１１４−１〜１１４−８を２つづつ有する。別の蓄熱レンガ積み重ね体ユニット１１１−１−２の個所では、蓄熱レンガ積み重ね体ユニット１１１−１−２、１１１−２−２、１１１−３−２、１１１−４−２が、上記と同じく一の蓄熱レンガ積み上げ体ユニット内の逆Ｕ字形状の通風路の一端とこの隣の蓄熱レンガ積み上げ体ユニット内の逆Ｕ字形状の通風路の一端とが隣り同士となるように並ぶようにして密接して並んでおり、逆Ｕ字形状の通風路が図４に示すと同様に並んでいる。蓄熱レンガ積み重ね体ユニット１１１−１−３の個所では、蓄熱レンガ積み重ね体ユニット１１１−１−３、１１１−２−３、１１１−３−３、１１１−４−３が、上記と同じく一の蓄熱レンガ積み上げ体ユニット内の逆Ｕ字形状の通風路の一端とこの隣の蓄熱レンガ積み上げ体ユニット内の逆Ｕ字形状の通風路の一端とが隣り同士となるように並ぶようにして密接して並んでおり、逆Ｕ字形状の通風路が図４に示すと同様に並んでいる。なお、蓄熱レンガ積み重ね体ユニット１１１−１−１〜１１１−４−１が密接して並んでいる部分を、蓄熱レンガ積み重ね体ユニットＸ方向列１１５−１という。蓄熱レンガ積み重ね体ユニット１１１−１−２〜１１１−４−２が密接して並んでいる部分を、蓄熱レンガ積み重ね体ユニットＸ方向列１１５−２、蓄熱レンガ積み重ね体ユニット１１１−１−３〜１１１−４−３が密接して並んでいる部分を、蓄熱レンガ積み重ね体ユニットＸ方向列１１５−３という。
【００２８】
蓄熱レンガ積み重ね体１１０の下方についてみると、図４に示すように、ハウジング１０１底板１２２と支持板１２０との間に、細長い形状の仕切り板１２１−１〜１２１−４が、夫々蓄熱レンガ積み重ね体ユニット１１１−１−１、１１１−２−１、１１１−３−１、１１１−４−１に対応する位置に、Ｙ１−Ｙ２方向に延在して設けてあり、蓄熱レンガ積み重ね体１１０の下方に、Ｘ１側から順に、吹き出し空間１２３、仕切られた仕切り空間１２４、１２５、１２６、吹き出し空間１２７が形成されている。吹き出し空間１２３、１２７の端には吹き出し口１３１，１３２が形成してある。なお、仕切り板１２１−１〜１２１−４は、蓄熱レンガ積み重ね体ユニット１１１−１−１等の重量を支える役割も有する。
【００２９】
再度図４を参照して蓄熱レンガ積み重ね体ユニットＸ方向列１１５−１についてみると、Ｘ１−Ｘ２方向上、中央の仕切り空間１２５には、通風路１１３−２−１の一つの開口１１４−４と通風路１１３−３−１の一つの開口１１４−５とが開口している。仕切り空間１２４には、通風路１１３−２−１の別の開口１１４−３と通風路１１３−１−１の一つの開口１１４−２とが開口している。仕切り空間１２６には、通風路１１３−３−１の別の開口１１４−６と通風路１１３−４−１の一つの開口１１４−７とが開口している。吹き出し空間１２３には、通風路１１３−１−１の別の開口１１４−１が開口している。吹き出し空間１２７には、通風路１１３−４−１の別の開口１１４−８が開口している。
【００３０】
よって、逆Ｕ字形状の通風路１１３−２−１と逆Ｕ字形状の通風路１１３−１−１とが仕切り空間１２４を介して連通しており、且つ、逆Ｕ字形状の通風路１１３−３−１と逆Ｕ字形状の通風路１１３−４−１とが仕切り空間１２６を介して連通している状態にある。
【００３１】
他の蓄熱レンガ積み重ね体ユニットＸ方向列１１５−２、１１５−３についても、上記の蓄熱レンガ積み重ね体ユニットＸ方向列１１５−１と同じ状態にある。
【００３２】
なお、上記のファンモータ１３３は、従来に比較して風量の大きい仕様のものであり、外部の空気を中央の仕切り空間１２５内に送り込むように設けてある。
［蓄熱暖房装置１００の動作］
次に、上記構成の蓄熱暖房装置１００の動作について説明する。
【００３３】
蓄熱暖房装置１００は、図１０に示すように建物１５０の床下１５１に設置される。床下１５１は周囲が建物１５０の外部に対して塞いである。床板１５２には、暖気吹き出し開口１５３及び室内１５４の空気を吸い込む吸い込み開口１５５が形成してある。
【００３４】
安価な深夜電力を利用して電気ヒータ１４０を発熱させて各蓄熱レンガ２０，３０を約７５０℃に加熱させて、蓄熱レンガ積み重ね体１１０全体を蓄熱状態とする。
【００３５】
朝に遠隔操作ユニット１３４を操作して暖房操作を行うと、送風ファン１３３が駆動され、外部の空気が図５に符号１５０で示すように中央の仕切り空間１２５内に送り込まれる。
【００３６】
図８は中央の仕切り空間１２５内に送り込まれた空気が蓄熱レンガ積み重ね体１１０のうち蓄熱レンガ積み重ね体ユニットＸ方向列１１５−１の内部を通って吹き出し口１３１，１３２から吹き出されるまでの経路を示す。
【００３７】
具体的には、仕切り空間１２５内に送り込まれた空気は、Ｘ１−Ｘ２の横方向に分岐し、一方では、符号１５０で示すように開口１１４−４を通って逆Ｕ字形状の通風路１１３−２−１内に送り込まれ、他方では、符号１６０で示すように開口１１４−５を通って逆Ｕ字形状の通風路１１３−３−１内に送り込まれる。
【００３８】
逆Ｕ字形状の通風路１１３−２−１内に送り込まれた空気は、符号１５１で示すように逆Ｕ字形状の通風路１１３−２−１内を最初に登って続いて下がって進み、開口１１４−３より仕切り空間１２４に出る。仕切り空間１２４に出た空気は符号１５２で示すように開口１１４−２を通って逆Ｕ字形状の通風路１１３−１−１内に送り込まれ、符号１５３で示すように逆Ｕ字形状の通風路１１３−１−１内を最初に登って続いて下がって進み、開口１１４−１より吹き出し空間１２３に出て、吹き出し口１３１より符号１５４で示すようにＸ１方向に吹き出す。即ち、空気は山が二つの波形の通路を通る。空気が最初の逆Ｕ字形状の通風路１１３−２−１を進んでいる間に蓄熱レンガ積み重ね体ユニット１１１−２−１に蓄えられている熱を奪って取り出し、空気が次の逆Ｕ字形状の通風路１１３−１−１を進んでいる間に蓄熱レンガ積み重ね体ユニット１１１−１−１に蓄えられている熱を奪って取り出す。よって、空気は最初の逆Ｕ字形状の通風路１１３−２−１を進んでいる間に暖められ、また、この暖められた空気が次の逆Ｕ字形状の通風路１１３−１−１を進んでいる間に更に暖められ、吹き出し口１３１からは従来に比べて高い温度Ｔ２℃（＞Ｔ１℃）の暖気が吹き出す。
【００３９】
逆Ｕ字形状の通風路１１３−３−１内に送り込まれた空気は、符号１６１で示すように逆Ｕ字形状の通風路１１３−３−１内を最初に登って続いて下がって進み、開口１１４−６より仕切り空間１２６に出る。仕切り空間１２６に出た空気は符号１６２で示すように開口１１４−７を通って逆Ｕ字形状の通風路１１３−４−１内に送り込まれ、符号１６３で示すように逆Ｕ字形状の通風路１１３−４−１内を最初に登って続いて下がって進み、開口１１４−８より吹き出し空間１２７に出て、吹き出し口１３２より符号１６４で示すようにＸ２方向に吹き出す。即ち、空気は山が二つの波形の通路を通る。空気が最初の逆Ｕ字形状の通風路１１３−３−１を進んでいる間に蓄熱レンガ積み重ね体ユニット１１１−３−１に蓄えられている熱を奪って取り出し、空気が次の逆Ｕ字形状の通風路１１３−４−１を進んでいる間に蓄熱レンガ積み重ね体ユニット１１１−４−１に蓄えられている熱を奪って取り出す。よって、空気は最初の逆Ｕ字形状の通風路１１３−３−１を進んでいる間に暖められ、また、この暖められた空気が次の逆Ｕ字形状の通風路１１３−４−１を進んでいる間に更に暖められ、吹き出し口１３２からは従来に比べて高い温度Ｔ２℃（＞Ｔ１℃）の暖気が吹き出す。
【００４０】
図２に示す例と比較するために二つの蓄熱レンガ積み重ね体ユニット１１１−１−１、１１１−２−１についてみると、暖房の開始と共に、蓄熱レンガ積み重ね体ユニット１１１−１−１、１１１−２−１に蓄えられている熱は、図９中、線Ｉで示すように、図２に示す従来例に比較して効率良く取り出され、残っている熱量は速やかに減り、夜間の間に蓄熱レンガ積み重ね体ユニット１１１−１−１、１１１−２−１に蓄えられていた熱は通常の暖房時間内に全て取り出される。
【００４１】
別の蓄熱レンガ積み重ね体ユニットＸ方向列１１５−２、１１５−３においても、空気が上記と同じく連続波形となる経路を流れることによって、各蓄熱レンガ積み重ね体ユニットＸ方向列１１５−２、１１５−３に蓄えられている熱が効率良く取り出される。
【００４２】
よって、暖房を開始すると蓄熱レンガ積み重ね体１１０に蓄えられている熱は図９中、線Ｉで示すように効率良く取り出され、通常の暖房時間内に略全部の熱が取り出され、無駄がなく、蓄熱暖房装置１００はその能力を十分に発揮する。また、蓄熱レンガ積み重ね体１１０に蓄えられている熱は、Ｘ１側とＸ２側との両側から取り出される。
【００４３】
各吹き出し口１３１、１３２から吹き出した熱量の多い暖気は、図１０に示すように、暖気吹き出し開口１５３を通って室内１５４内に吹き出し、室内１５４内が暖房される。
【００４４】
上記の蓄熱暖房装置１００は、蓄熱量が図１に示す従来の蓄熱暖房装置１０の約２倍であり、外形寸法形状が立方体に近い直方体であり、且つ、図２に示す蓄熱暖房装置１０Ａに比較して蓄えられている熱を効率良く且つ平均的に取り出すことが可能である特性を有する。
【実施例２】
【００４５】
図１１（Ａ），（Ｂ），（Ｃ）は本発明の実施例２になる蓄熱暖房装置２００を示す。図１１（Ａ）は内部を透視して示す平面図、同図（Ｂ）はハウジングの一部を切除した状態の正面図、同図（Ｃ）は側面図である。図１２は、図１１（Ｂ）中、ＸＩＩ−ＸＩＩ線に沿う断面、図１３は、図１１（Ｂ）中、ＸＩＩＩ―ＸＩＩＩ線に沿う断面を示す。Ｘ１−Ｘ２は横方向、Ｙ１−Ｙ２は縦方向、Ｚ１−Ｚ２は高さ方向である。
【００４６】
蓄熱暖房装置２００は、図１１（Ａ）に示すように部屋のコーナ部に設置可能であるように立方体の一つのコーナ部を斜めにカットして除去した形状、即ち、五角柱の外形寸法形状を有する。断熱構造であるハウジング２０１内には、蓄熱レンガ積み重ね体２１０及び送風ファン２３３が収まっている。送風ファン２３３は、仕切り壁２３９によって仕切られて形成してある制御室２３０内に設けてある。
【００４７】
蓄熱レンガ積み重ね体２１０は、６つの蓄熱レンガ２０と一つの頂部蓄熱レンガ３０とよりなる蓄熱レンガ積み重ね体ユニット２１１が一つの単位であり、この蓄熱レンガ積み重ね体ユニット２１１が縦方向及び横方向に密接して並んでいる集合である。Ｘ１側から、蓄熱レンガ積み重ね体ユニット２１１−１−１、２１１−１−２と発熱ヒータ２４０とよりなる蓄熱レンガ積み重ね体ユニット列２１２−１、蓄熱レンガ積み重ね体ユニット２１１−２−１、２１１−２−２と発熱ヒータ２４０とよりなる蓄熱レンガ積み重ね体ユニット列２１２−２、発熱ヒータ２４０を含んでいる蓄熱レンガ積み重ね体ユニット２１１−３−２が密接して並んでいる。
【００４８】
Ｘ１−Ｘ２方向についてみると、蓄熱レンガ積み重ね体ユニットＸ方向列２１５−１と２１５−２とがＹ１−Ｙ２方向上密接して並んでいる構成である。蓄熱レンガ積み重ね体ユニットＸ方向列２１５−１は、図１２に併せて示すように、蓄熱レンガ積み重ね体ユニット２１１−１−１、２１１−２−１が密接して並んでいる構成である。蓄熱レンガ積み重ね体ユニットＸ方向列２１５−２は、図１３に併せて示すように、蓄熱レンガ積み重ね体ユニット２１１−１−２、２１１−２−２、２１１−３−２が密接して並んでいる構成である。
【００４９】
図１２及び図１３に示すように、蓄熱レンガ積み重ね体ユニットＸ方向列２１５−１の内部には、２つの逆Ｕ字形状の通風路２１３−１−１、２１３−２−１が並んでいる。蓄熱レンガ積み重ね体ユニットＸ方向列２１５−２の内部には、３つの逆Ｕ字形状の通風路２１３−１−２、２１３−２−２、２１３−３−２が並んでいる。蓄熱レンガ積み重ね体ユニットＸ方向列２１５−１、２１５−２の下部には、細長い仕切り板２２１−１、２２１−２、２２１−３によって、空間２１８、仕切り空間２２４、２２５、吹き出し空間２２３−１、２２３−２が形成されている。
【００５０】
発熱ヒータ２４０によって蓄熱レンガ積み重ね体２１０全体が加熱されて蓄熱された状態で、暖房操作を行うと送風ファン２３３が駆動され、外部の空気がフィルタ２３８を通して吸引されて空間２１８内に送り込まれ、この空気は、蓄熱レンガ積み重ね体ユニットＸ方向列２１５−１の部分については、図１２に符号２５０で示すように、２つの逆Ｕ字形状の通風路２１３−１−１、２１３−２−１を波形に連続して進んで、この間に蓄熱レンガ積み重ね体ユニット２１１−１−１、２１１−２−１に蓄えられている熱を効率良く奪って取り出し、加熱されて暖気となって、図１１に併せて符号２５４で示すようにＸ２とＹ２との間の方向に、即ち、部屋の中央に向かって吹き出される。Ｘ２方向に吹き出される。蓄熱レンガ積み重ね体ユニットＸ方向列２１５−２の部分については、空間２１８に送り込まれた空気が、図１３に符号２６０で示すように、３つの逆Ｕ字形状の通風路２１３−１−２、２１３−２−２、２１３−３−２を途中仕切り空間２２４、２２５を経て波形に連続して進んで、この間に蓄熱レンガ積み重ね体ユニット２１１−１−２、２１１−２−２、２１１−３−２に蓄えられている熱を効率良く奪って取り出し、加熱されて暖気となって、図１１に併せて符号２６４で示すようにＸ２の方向に吹き出される。
【実施例３】
【００５１】
図１４（Ａ），（Ｂ），（Ｃ）は本発明の実施例３になる蓄熱暖房装置３００を示す。図１４（Ａ）は内部を透視して示す平面図、同図（Ｂ）はハウジングの一部を切除した状態の正面図、同図（Ｃ）は側面図である。図１５は、図１４（Ｂ）中、ＸＶ−ＸＶ線に沿う断面を示す。Ｘ１−Ｘ２は横方向、Ｙ１−Ｙ２は縦方向、Ｚ１−Ｚ２は高さ方向である。
【００５２】
蓄熱暖房装置３００は、立方体に近い直方体形状であって、部屋の壁ぎわに設置可能であって、デザイン的にも良い形状であり、且つ、図１に示す従来の蓄熱暖房装置１０よりも暖房能力が高いものである。
【００５３】
蓄熱暖房装置３００は、ハウジング３０１の内部に、蓄熱レンガ積み重ね体３１０及び送風ファン３３３を有する構成である。蓄熱レンガ積み重ね体３１０は、同じ構成である蓄熱レンガ積み重ね体ユニット列３１２−１と３１２−２とがＸ１−Ｘ２方向に密接して並んでいる構成である。蓄熱レンガ積み重ね体ユニット列３１２−１、３１２−２は、夫々三つの蓄熱レンガ積み重ね体ユニット３１１と発熱ヒータ３４０とよりなる構成である。
【００５４】
図１５に示すように、蓄熱レンガ積み重ね体ユニットＸ方向列３１５−１の内部には、２つの逆Ｕ字形状の通風路３１３−１−１、３１３−２−１が並んでいる。蓄熱レンガ積み重ね体３１０の下部には、図１３に示すように、空間３１８、仕切り空間３２４、吹き出し空間３２３が形成してある。
【００５５】
発熱ヒータ３４０によって蓄熱レンガ積み重ね体３１０全体が加熱されて蓄熱された状態で、暖房操作を行うと送風ファン３３３が駆動され、外部の空気がフィルタを通して吸引されて空間３１８内に送り込まれ、この空気は、蓄熱レンガ積み重ね体ユニットＸ方向列２１５−１の部分については、図１３に符号３５０で示すように、２つの逆Ｕ字形状の通風路３１３−１−１、３１３−２−１を波形に連続して進んで、この間に蓄熱レンガ積み重ね体ユニット列３１２−１、３１２−２に蓄えられている熱を効率良く奪って取り出し、加熱されて暖気となって、符号３５４で示すようにＸ２方向に、即ち、部屋の中央に向かって吹き出される。
【００５６】
他の蓄熱レンガ積み重ね体ユニットＸ方向列３１５−２、３１５−３の部分でも、空気は、上記と同じく、２つの逆Ｕ字形状の通風路を連続して進んで、この間に効率良く加熱されて暖気となって吹き出される。
【実施例４】
【００５７】
図１６は本発明の実施例４になる蓄熱暖房装置４００をハウジングを省略して示す。蓄熱暖房装置４００は、暖房能力が図１に示す従来の蓄熱暖房装置１０よりも数倍高く、且つ、設置し易くするために立方体に近い形状を有するものである。
【００５８】
ハウジングの内部の蓄熱レンガ積み重ね体４１０は、同じ構成である四つの蓄熱レンガ積み重ね体ユニット列４１２−１〜４１２−４がＸ１−Ｘ２の横方向に密接して並んでいる構成である。各蓄熱レンガ積み重ね体ユニット列４１２−１〜４１２−４は、夫々複数の蓄熱レンガ積み重ね体ユニット４１１と発熱ヒータ４４０とよりなる構成である。蓄熱レンガ積み重ね体ユニットＸ方向列４１５−１の内部には、４つの逆Ｕ字形状の通風路４１３−１−１〜４１３−４−１が並んでいる。蓄熱レンガ積み重ね体４１０の下部には、空間４１８、仕切り空間４２４−１、４２４−２、４２４−３、吹き出し空間４２３が形成してある。
【００５９】
発熱ヒータ４４０によって蓄熱レンガ積み重ね体４１０全体が加熱されて蓄熱された状態で、暖房操作を行うと送風ファン４３３が駆動され、外部の空気がフィルタを通して吸引されて空間４１８内に送り込まれ、この空気は、蓄熱レンガ積み重ね体ユニットＸ方向列４１５−１の部分については、図１６に符号４５０で示すように、４つの逆Ｕ字形状の通風路４１３−１−１〜４１３−４−１を波形に連続して進んで、この間に各蓄熱レンガ積み重ね体ユニット列４１２−１〜４１２−４に蓄えられている熱を効率良く奪って取り出し、加熱されて暖気となって、符号４５４で示すようにＸ２方向に吹き出される。
【００６０】
他の蓄熱レンガ積み重ね体ユニットＸ方向列の部分でも、空気は、上記と同じく、４つの逆Ｕ字形状の通風路を連続して進んで、この間に効率良く加熱されて暖気となって吹き出される。
【００６１】
この蓄熱暖房装置４００は、例えば、図１７に示すように、集合住宅５００に併せて設けられた蓄熱室５０１内に設置され、吹き出された暖気は、各住宅５０２，５０３，５０４に供給される。
【００６２】
また、蓄熱暖房装置４００は、例えば、図１８に示すように、温室６００内に設置され、温室６００の暖房に使用される。
【実施例５】
【００６３】
図１９は本発明の実施例５になる蓄熱暖房装置７００をハウジングを省略して示す。蓄熱暖房装置７００は、暖房能力が図１に示す従来の蓄熱暖房装置１０よりも数倍高く、且つ、設置し易くするために立方体に近い形状を有し、且つ、暖気が四方に吹き出る構成である。
【００６４】
ハウジングの内部の蓄熱レンガ積み重ね体７１０は、同じ構成である蓄熱レンガ積み重ね体ユニット列７１２−１〜７１２−６が６つＸ１−Ｘ２の横方向に密接して並んでいる構成である。各蓄熱レンガ積み重ね体ユニット列７１２−１〜７１２−６は、夫々複数の蓄熱レンガ積み重ね体ユニット７１１と発熱ヒータ７４０とよりなる構成である。蓄熱レンガ積み重ね体ユニットＸ方向列７１５−１の内部には、６つの逆Ｕ字形状の通風路７１３−１−１〜７１３−６−１が並んでいる。空気を６つの逆Ｕ字形状の通風路７１３−１−１〜７１３−６−１を連続して通過させようとすると抵抗が大きくなって暖気の吹き出し量が少なくなる。そこで、６つの逆Ｕ字形状の通風路７１３−１−１〜７１３−６−１を例えば３つのグループに分けた構成としている。そのために、蓄熱レンガ積み重ね体７１０の下部には、仕切り板によってＸ１側から順に、吹き出し空間７２３、仕切り空間７２４、７３０、７２８、７２５，７３１，７２６、吹き出し空間７２７が並んで形成してあり、暖気の吹き出る方向が、二方より多い四方となっている。
【００６５】
即ち、仕切り空間７２４、７３０、７２５，７３１，７２６は、仕切り空間７２４が通風路７１３−１−１と７１３−２−１とを連通させ、仕切り空間７２５が通風路７１３−３−１と７１３−４−１とを連通させ、仕切り空間７２６が通風路７１３−５−１と７１３−６−１とを連通させるように設けてあり、仕切り空間７３０及び７３１は送風ファンによって空気が送り込まれるように形成してあり、仕切り空間７２８のＹ１―Ｙ２方向の両端には、吹き出し口が形成してある。
【００６６】
吹き出し空間７２３、７２７には、夫々、吹き出し口７３２，７３３が形成してある。
【００６７】
発熱ヒータ７４０によって蓄熱レンガ積み重ね体７１０全体が加熱されて蓄熱された状態で、暖房操作を行うと送風ファンが駆動され、外部の空気が吸引されて仕切り空間７３０及び７３１内に送り込まれる。蓄熱レンガ積み重ね体ユニットＸ方向列７１５−１の部分については、符号７６０−１で示すように仕切り空間７３０内に送り込まれた空気は、符号７６１で示すように、通風路７１３−２−１を通り、仕切り空間７２４に出、続いて通風路７１３−１−１を通り、即ち、通風路７１３−２−１、７１３−１−１を波形に連続して進んで、この間に各蓄熱レンガ積み重ね体ユニット列７１２−２、７１２−１に蓄えられている熱を効率良く奪って取り出し、加熱されて暖気となって、吹き出し空間７２３に出て、暖気吹き出し口７３１より符号７６２で示すようにＸ１方向に吹き出される。また、符号７６０−２で示すように仕切り空間７３１内に送り込まれた空気は、一方では、通風路７１３−５−１に入り、ここを通り、仕切り空間７２６に出、続いて通風路７１３−６−１を通り、即ち、通風路７１３−５−１、７１３−６−１を波形に連続して進んで、この間に各蓄熱レンガ積み重ね体ユニット列７１２−５、７１２−６に蓄えられている熱を効率良く奪って取り出し、加熱されて暖気となって、吹き出し空間７２７に出て、暖気吹き出し口７３２より符号７７７で示すようにＸ２方向に吹き出される。他方では、通風路７１３−４−１に入り、ここを通り、仕切り空間７２５に出、続いて通風路７１３−３−１を通り、即ち、通風路７１３−４−１、７１３−３−１を波形に連続して進んで、この間に各蓄熱レンガ積み重ね体ユニット列７１２−４、７１２−３に蓄えられている熱を効率良く奪って取り出し、加熱されて暖気となって、吹き出し空間７２８に出て、符号７８２で示すようにＹ２方向及びＹ１方向に吹き出される。
【図面の簡単な説明】
【００６８】
【図１】従来の１例の蓄熱暖房装置を示す図である。
【図２】本発明者が最初に考えた蓄熱暖房装置を示す図である。
【図３】本発明の実施例１になる蓄熱暖房装置をハウジングの一部を除去した状態で示す斜視図である。
【図４】図３中垂直面ＳＩＶで切断した断面図である。
【図５】図３中垂直面ＳＶで切断した断面図である。
【図６】蓄熱レンガを示す図である。
【図７】頂部蓄熱レンガを反転した姿勢で示す図である。
【図８】中央の仕切り空間内に送り込まれた空気が蓄熱レンガ積み重ね体の内部を通って吹き出し口から吹き出されるまでの経路を示す図である。
【図９】図３の蓄熱暖房装置の暖房時の蓄熱レンガ積み重ね体の残熱量の変化を、図２の蓄熱暖房装置の場合と比較して示す図である。
【図１０】図４の蓄熱暖房装置の設置の例を示す図である。
【図１１】本発明の実施例２になる蓄熱暖房装置をハウジングの一部を除去した状態で示す図である。
【図１２】図１１（Ｂ）中、ＸＩＩ−ＸＩＩ線に沿う断面図である。
【図１３】図１１（Ｂ）中、ＸＩＩＩ―ＸＩＩＩ線に沿う断面図である。
【図１４】本発明の実施例３になる蓄熱暖房装置をハウジングの一部を除去した状態で示す図である。
【図１５】図１４（Ｂ）中、ＸＶ−ＸＶ線に沿う断面図である。
【図１６】本発明の実施例４になる蓄熱暖房装置をハウジングを除去した状態で示す図である。
【図１７】図１６の蓄熱暖房装置の一つの設置例を示す図である。
【図１８】図１６の蓄熱暖房装置の別の設置例を示す図である。
【図１９】本発明の実施例５になる蓄熱暖房装置をハウジングを除去した状態で示す図である。
【符号の説明】
【００６９】
２０  蓄熱レンガ
３０  頂部蓄熱レンガ
１００、２００，３００，４００，７００  蓄熱暖房装置
１０１、２０１  ハウジング
１１０、２１０，３１０，４１０，７１０  蓄熱レンガ積み重ね体
１１１、１１１−１−１〜１１１−１−３、２１１、３１１，４１１，７１１  蓄熱レンガ積み重ね体ユニット
１１２、１１２−１〜１１２−４、２１２−１、２１２−２、３１２−１、３１２−２、４１２−１〜４１２−４、７１２−１〜７１２−６  蓄熱レンガ積み重ね体ユニット列
１１４−１〜１１４−８  開口
１１３−１−１〜１１３−４−１、２１３−１−１、２１３−２−１、４１３−１−１〜４１３−４−１、７１３−１−１〜７１３−６−１  通風路
１１５−１〜１１５−３、２１５−１、２１５−２、３１５−１〜３１５−３、４１５−１、７１５−１  蓄熱レンガ積み重ね体ユニットＸ方向列
１２０  穴あきの支持板
１２１−１〜１２１−４、２２１−１〜２２１−３  仕切り板
１２３，１２７、２２３−１、２２３−２、３２３、４２３、７２３，７２７、７２８  吹き出し空間
１２４〜１２６、２２４，２２５、３２４、４２４−１〜４２４−３、７２４，７２５、７２６、７２８、７３０、７３１  仕切り空間
１３０  制御室
１３１，１３２、７３１，７３２  暖気吹き出し口
１３３、２３３，３３３、４３３  ファンモータ
１４０、２４０，３４０，４４０、７４０  電気ヒータ
１５０  建物
１５１  床下
５００  集合住宅
５０１  蓄熱室
５０２〜５０４  住宅
６００  温室
【図１】
2006138536.tif 000003
【図２】
2006138536.tif 000004
【図３】
2006138536.tif 000005
【図４】
2006138536.tif 000006
【図５】
2006138536.tif 000007
【図６】
2006138536.tif 000008
【図７】
2006138536.tif 000009
【図８】
2006138536.tif 000010
【図９】
2006138536.tif 000011
【図１０】
2006138536.tif 000012
【図１１】
2006138536.tif 000013
【図１２】
2006138536.tif 000014
【図１３】
2006138536.tif 000015
【図１４】
2006138536.tif 000016
【図１５】
2006138536.tif 000017
【図１６】
2006138536.tif 000018
【図１７】
2006138536.tif 000019
【図１８】
2006138536.tif 000020
【図１９】
2006138536.tif 000021